【手続補正書】
【提出日】平成17年9月8日(2005.9.8)
【手続補正１】
【補正対象書類名】明細書
【補正対象項目名】発明の名称
【補正方法】変更
【補正の内容】
【発明の名称】電気回路及びそれを用いた電子機器
【手続補正２】
【補正対象書類名】明細書
【補正対象項目名】特許請求の範囲
【補正方法】変更
【補正の内容】
【特許請求の範囲】
【請求項１】
トランジスタと、
一方の電極が前記トランジスタのゲートに接続された容量素子と、
一方の端子が前記トランジスタのゲートに接続され、他方の端子が前記トランジスタのソース又はドレインの一方に接続された第１のスイッチと、
一方の端子が前記容量素子の他方の電極に接続され、他方の端子に入力電位が入力される第２のスイッチと、
一方の端子が前記容量素子の他方の電極に接続され、他方の端子が前記トランジスタのソース又はドレインの他方に接続された第３のスイッチと、
一方の端子が前記トランジスタのソース又はドレインの他方に接続され、他方の端子から出力電位を出力する第４のスイッチと、
前記トランジスタと前記容量素子に電流を供給する定電流源と、を有することを特徴とする電気回路。
【請求項２】
第１のトランジスタと、
一方の電極が前記トランジスタのゲートに接続された容量素子と、
ソース又はドレインの一方が前記第１のトランジスタのゲートに接続され、ソース又はドレインの他方が前記第１のトランジスタのソース又はドレインの一方に接続された第２のトランジスタと、
ソース又はドレインの一方が前記容量素子の他方の電極に接続され、ソース又はドレインの他方に入力電位が入力される第３のトランジスタと、
ソース又はドレインの一方が前記容量素子の他方の電極に接続され、ソース又はドレインの他方が前記第１のトランジスタのソース又はドレインの他方に接続された第４のトランジスタと、
ソース又はドレインの一方が前記第１のトランジスタのソース又はドレインの他方に接続され、ソース又はドレインの他方から出力電位を出力する第５のトランジスタと、
前記第１のトランジスタと前記容量素子に電流を供給する定電流源と、を有することを特徴とする電気回路。
【請求項３】
直列に接続された第１のトランジスタ及び第２のトランジスタと、
一方の電極が前記第１のトランジスタのゲートに接続された第１の容量素子と、
一方の電極が前記第２のトランジスタのゲートに接続され、他方の電極が前記第２のトランジスタのソース又はドレインの一方に接続された第２の容量素子と、
一方の端子が前記第１のトランジスタのゲートに接続され、他方の端子が前記第１のトランジスタのソース又はドレインの一方に接続された第１のスイッチと、
一方の端子が前記第１の容量素子の他方の電極に接続され、他方の端子に入力電位が入力される第２のスイッチと、
一方の端子が前記第１の容量素子の他方の電極に接続され、他方の端子が前記第１のトランジスタのソース又はドレインの他方に接続された第３のスイッチと、
一方の端子が前記第１のトランジスタのソース又はドレインの他方と前記第２のトランジスタのソース又はドレインの他方に接続され、他方の端子から出力電位を出力する第４のスイッチと、
一方の端子が前記第２のトランジスタのゲートに接続され、他方の端子が前記第２のトランジスタのソース又はドレインの他方に接続された第５のスイッチと、
前記第１のトランジスタ、前記第２のトランジスタ、前記第１の容量素子及び前記第２の容量素子に電流を供給する定電流源と、を有することを特徴とする電気回路。
【請求項４】
直列に接続された第１のトランジスタ及び第２のトランジスタと、
一方の電極が前記第１のトランジスタのゲートに接続された第１の容量素子と、
一方の電極が前記第２のトランジスタのゲートに接続され、他方の電極が前記第２のトランジスタのソース又はドレインの一方に接続された第２の容量素子と、
ソース又はドレインの一方が前記第１のトランジスタのゲートに接続され、ソース又はドレインの他方が前記第１のトランジスタのソース又はドレインの一方に接続された第３のトランジスタと、
ソース又はドレインの一方が前記第１の容量素子の他方の電極に接続され、ソース又はドレインの他方に入力電位が入力される第４のトランジスタと、
ソース又はドレインの一方が前記第１の容量素子の他方の電極に接続され、ソース又はドレインの他方が前記第１のトランジスタのソース又はドレインの他方に接続された第５のトランジスタと、
ソース又はドレインの一方が前記第１のトランジスタのソース又はドレインの他方と前記第２のトランジスタのソース又はドレインの他方に接続され、ソース又はドレインの他方から出力電位を出力する第６のトランジスタと、
ソース又はドレインの一方が前記第２のトランジスタのゲートに接続され、ソース又はドレインの他方が前記第２のトランジスタのソース又はドレインの他方に接続された第７のトランジスタと、
前記第１のトランジスタ、前記第２のトランジスタ、前記第１の容量素子及び前記第２の容量素子に電流を供給する定電流源と、を有することを特徴とする電気回路。
【請求項５】
直列に接続された第１のトランジスタ及び第２のトランジスタと、
一方の電極が前記第１のトランジスタのゲートに接続された第１の容量素子と、
一方の電極が前記第２のトランジスタのゲートに接続され、他方の電極が前記第２のトランジスタのソース又はドレインの一方に接続された第２の容量素子と、
光電変換素子と、
一方の端子が前記第１のトランジスタのゲートに接続され、他方の端子が前記第１のトランジスタのソース又はドレインの一方に接続された第１のスイッチと、
一方の端子が前記第１の容量素子の他方の電極に接続され、他方の端子に前記光電変換素子から入力電位が入力される第２のスイッチと、
一方の端子が前記第１の容量素子の他方の電極に接続され、他方の端子が前記第１のトランジスタのソース又はドレインの他方に接続された第３のスイッチと、
一方の端子が前記第１のトランジスタのソース又はドレインの他方に接続され、他方の端子が前記第２のトランジスタのソース又はドレインの他方に接続され、前記他方の端子から出力電位を出力する第４のスイッチと、
一方の端子が前記第２のトランジスタのゲートに接続され、他方の端子が前記第２のトランジスタのソース又はドレインの他方に接続された第５のスイッチと、
前記第１のトランジスタ、前記第２のトランジスタ、前記第１の容量素子及び前記第２の容量素子に電流を供給する定電流源と、を有することを特徴とする電気回路。
【請求項６】
直列に接続された第１のトランジスタ及び第２のトランジスタと、
一方の電極が前記第１のトランジスタのゲートに接続された第１の容量素子と、
一方の電極が前記第２のトランジスタのゲートに接続され、他方の電極が前記第２のトランジスタのソース又はドレインの一方に接続された第２の容量素子と、
光電変換素子と、
ソース又はドレインの一方が前記第１のトランジスタのゲートに接続され、ソース又はドレインの他方が前記第１のトランジスタのソース又はドレインの一方に接続された第３のトランジスタと、
ソース又はドレインの一方が前記第１の容量素子の他方の電極に接続され、ソース又はドレインの他方に前記光電変換素子から入力電位が入力される第４のトランジスタと、
ソース又はドレインの一方が前記第１の容量素子の他方の電極に接続され、ソース又はドレインの他方が前記第１のトランジスタのソース又はドレインの他方に接続された第５のトランジスタと、
ソース又はドレインの一方が前記第１のトランジスタのソース又はドレインの他方に接続され、ソース又はドレインの他方が前記第２のトランジスタのソース又はドレインの他方に接続され、前記ソース又はドレインの他方から出力電位を出力する第６のトランジスタと、
ソース又はドレインの一方が前記第２のトランジスタのゲートに接続され、ソース又はドレインの他方が前記第２のトランジスタのソース又はドレインの他方に接続された第７のトランジスタと、
前記第１のトランジスタ、前記第２のトランジスタ、前記第１の容量素子及び前記第２の容量素子に電流を供給する定電流源と、を有することを特徴とする電気回路。
【請求項７】
第１のトランジスタと、第２のトランジスタと、第３のトランジスタと、
一方の電極が前記第１のトランジスタのゲートに接続された第１の容量素子と、
一方の電極が前記第２のトランジスタのゲートに接続された第２の容量素子と、
一方の電極が前記第３のトランジスタのゲートに接続され、他方の電極が前記第３のトランジスタのソース又はドレインの一方に接続された第３の容量素子と、
一方の端子が前記第１のトランジスタのゲートに接続され、他方の端子が前記第１のトランジスタのソース又はドレインの一方に接続された第１のスイッチと、
一方の端子が前記第１の容量素子の他方の電極に接続され、他方の端子に第１の入力電位が入力される第２のスイッチと、
一方の端子が前記第１の容量素子の他方の電極に接続され、他方の端子が前記第１のトランジスタのソース又はドレインの他方に接続された第３のスイッチと、
一方の端子が前記第２のトランジスタのゲートに接続され、他方の端子が前記第２のトランジスタのソース又はドレインの一方に接続された第４のスイッチと、
一方の端子が前記第２のトランジスタのソース又はドレインの他方に接続され、他方の端子が前記第２の容量素子の他方の電極に接続された第５のスイッチと、
一方の端子が前記第２の容量素子の他方の電極に接続され、他方の端子に第２の入力電位が入力される第６のスイッチと、
一方の端子が前記第２のトランジスタのソース又はドレインの一方に接続され、他方の端子から出力電位を出力する第７のスイッチと、
一方の端子が前記第３のトランジスタのゲートに接続され、他方の端子が前記第３のトランジスタのソース又はドレインの他方に接続された第８のスイッチと、
前記第１のトランジスタ、前記第２のトランジスタ、前記第３のトランジスタ、前記第１の容量素子、前記第２の容量素子及び前記第３の容量素子に電流を供給する定電流源と、を有することを特徴とする電気回路。
【請求項８】
第１のトランジスタと、第２のトランジスタと、第３のトランジスタと、
一方の電極が前記第１のトランジスタのゲートに接続された第１の容量素子と、
一方の電極が前記第２のトランジスタのゲートに接続された第２の容量素子と、
一方の電極が前記第３のトランジスタのゲートに接続され、他方の電極が前記第３のトランジスタのソース又はドレインの一方に接続された第３の容量素子と、
ソース又はドレインの一方が前記第１のトランジスタのゲートに接続され、ソース又はドレインの他方が前記第１のトランジスタのソース又はドレインの一方に接続された第４のトランジスタと、
ソース又はドレインの一方が前記第１の容量素子の他方の電極に接続され、ソース又はドレインの他方に第１の入力電位が入力される第５のトランジスタと、
ソース又はドレインの一方が前記第１の容量素子の他方の電極に接続され、ソース又はドレインの他方が前記第１のトランジスタのソース又はドレインの他方に接続された第６のトランジスタと、
ソース又はドレインの一方が前記第２のトランジスタのゲートに接続され、ソース又はドレインの他方が前記第２のトランジスタのソース又はドレインの一方に接続された第７のトランジスタと、
ソース又はドレインの一方が前記第２のトランジスタのソース又はドレインの他方に接続され、ソース又はドレインの他方が前記第２の容量素子の他方の電極に接続された第８のトランジスタと、
ソース又はドレインの一方が前記第２の容量素子の他方の電極に接続され、ソース又はドレインの他方に第２の入力電位が入力される第９のトランジスタと、
ソース又はドレインの一方が前記第２のトランジスタのソース又はドレインの一方に接続され、ソース又はドレインの他方から出力電位を出力する第１０のトランジスタと、
ソース又はドレインの一方が前記第３のトランジスタのゲートに接続され、ソース又はドレインの他方が前記第３のトランジスタのソース又はドレインの他方に接続された第１１のトランジスタと、
前記第１のトランジスタ、前記第２のトランジスタ、前記第３のトランジスタ、前記第１の容量素子、前記第２の容量素子及び前記第３の容量素子に電流を供給する定電流源と、を有することを特徴とする電気回路。
【請求項９】
請求項１において、
一方の端子が前記トランジスタのソース又はドレインの他方に接続され、他方の端子が第１の電源線に接続された第５のスイッチと、
一方の端子が前記トランジスタのソース又はドレインの一方に接続され、他方の端子が前記定電流源に接続された第６のスイッチと、
一方の端子が前記トランジスタのソース又はドレインの一方に接続され、他方の端子が第２の電源線に接続された第７のスイッチを有することを特徴とする電気回路。
【請求項１０】
請求項１において、
一方の端子が前記トランジスタのソース又はドレインの他方に接続され、他方の端子が電源線に接続された第５のスイッチと、
一方の端子が前記トランジスタのソース又はドレインの他方に接続され、他方の端子が前記定電流源に接続された第６のスイッチを有することを特徴とする電気回路。
【請求項１１】
請求項１において、
ソース又はドレインの一方が前記トランジスタのソース又はドレインの他方に接続され、ソース又はドレインの他方が第１の電源線に接続された第６のトランジスタと、
ソース又はドレインの一方が前記トランジスタのソース又はドレインの一方に接続され、ソース又はドレインの他方が前記定電流源に接続された第７のトランジスタと、
ソース又はドレインの一方が前記トランジスタのソース又はドレインの一方に接続され、ソース又はドレインの他方が第２の電源線に接続された第８のトランジスタを有することを特徴とする電気回路。
【請求項１２】
請求項１において、
ソース又はドレインの一方が前記トランジスタのソース又はドレインの他方に接続され、ソース又はドレインの他方が電源線に接続された第６のトランジスタと、
ソース又はドレインの一方が前記トランジスタのソース又はドレインの他方に接続され、ソース又はドレインの他方が前記定電流源に接続された第７のトランジスタを有することを特徴とする電気回路。
【請求項１３】
請求項２において、
一方の端子が前記第１のトランジスタのソース又はドレインの他方に接続され、他方の端子が第１の電源線に接続された第５のスイッチと、
一方の端子が前記第１のトランジスタのソース又はドレインの一方に接続され、他方の端子が前記定電流源に接続された第６のスイッチと、
一方の端子が前記第１のトランジスタのソース又はドレインの一方に接続され、他方の端子が第２の電源線に接続された第７のスイッチを有することを特徴とする電気回路。
【請求項１４】
請求項２において、
一方の端子が前記第１のトランジスタのソース又はドレインの他方に接続され、他方の端子が電源線に接続された第５のスイッチと、
一方の端子が前記第１のトランジスタのソース又はドレインの他方に接続され、他方の端子が前記定電流源に接続された第６のスイッチを有することを特徴とする電気回路。
【請求項１５】
請求項２において、
ソース又はドレインの一方が前記第１のトランジスタのソース又はドレインの他方に接続され、ソース又はドレインの他方が第１の電源線に接続された第６のトランジスタと、
ソース又はドレインの一方が前記第１のトランジスタのソース又はドレインの一方に接続され、ソース又はドレインの他方が前記定電流源に接続された第７のトランジスタと、
ソース又はドレインの一方が前記第１のトランジスタのソース又はドレインの一方に接続され、ソース又はドレインの他方が第２の電源線に接続された第８のトランジスタを有することを特徴とする電気回路。
【請求項１６】
請求項２において、
ソース又はドレインの一方が前記第１のトランジスタのソース又はドレインの他方に接続され、ソース又はドレインの他方が電源線に接続された第６のトランジスタと、
ソース又はドレインの一方が前記第１のトランジスタのソース又はドレインの他方に接続され、ソース又はドレインの他方が前記定電流源に接続された第７のトランジスタを有することを特徴とする電気回路。
【請求項１７】
請求項３又は請求項４において、
一方の端子が前記第１のトランジスタのソース又はドレインの一方に接続され、他方の端子が電源線に接続された第６のスイッチと、
一方の端子が前記第１のトランジスタのソース又はドレインの一方に接続され、他方の端子が前記定電流源に接続された第７のスイッチを有することを特徴とする電気回路。
【請求項１８】
請求項３又は請求項４において、
一方の端子が前記第２のトランジスタのソース又はドレインの一方に接続され、他方の端子が電源線に接続された第６のスイッチと、
一方の端子が前記定電流源に接続され、他方の端子が前記電源線に接続された第７のスイッチと、を有することを特徴とする電気回路。
【請求項１９】
請求項３又は請求項４において、
一方の端子が前記第１のトランジスタのソース又はドレインの他方に接続され、他方の端子が前記第２のトランジスタのソース又はドレインの他方に接続された第６のスイッチと、
一方の端子が前記定電流源に接続され、他方の端子が前記第２のトランジスタのソース又はドレインの他方に接続された第７のスイッチと、を有することを特徴とする電気回路。
【請求項２０】
請求項３又は請求項４において、
一方の端子が前記第２のトランジスタのソース又はドレインの一方に接続され、他方の端子が電源線に接続された第６のスイッチと、
一方の端子が前記第２のトランジスタのソース又はドレインの一方に接続され、他方の端子が前記定電流源に接続された第７のスイッチを有することを特徴とする電気回路。
【請求項２１】
請求項３又は請求項４において、
ソース又はドレインの一方が前記第１のトランジスタのソース又はドレインの一方に接続され、ソース又はドレインの他方が電源線に接続された第８のトランジスタと、
ソース又はドレインの一方が前記第１のトランジスタのソース又はドレインの一方に接続され、ソース又はドレインの他方が前記定電流源に接続された第９のトランジスタを有することを特徴とする電気回路。
【請求項２２】
請求項３又は請求項４において、
ソース又はドレインの一方が前記第２のトランジスタのソース又はドレインの一方に接続され、ソース又はドレインの他方が電源線に接続された第８のトランジスタと、
ソース又はドレインの一方が前記定電流源に接続され、ソース又はドレインの他方が前記電源線に接続された第９のトランジスタと、を有することを特徴とする電気回路。
【請求項２３】
請求項３又は請求項４において、
ソース又はドレインの一方が前記第１のトランジスタのソース又はドレインの他方に接続され、ソース又はドレインの他方が前記第２のトランジスタのソース又はドレインの他方に接続された第８のトランジスタと、
ソース又はドレインの一方が前記定電流源に接続され、ソース又はドレインの他方が前記第２のトランジスタのソース又はドレインの他方に接続された第９のトランジスタと、を有することを特徴とする電気回路。
【請求項２４】
請求項３又は請求項４において、
ソース又はドレインの一方が前記第２のトランジスタのソース又はドレインの一方に接続され、ソース又はドレインの他方が電源線に接続された第８のトランジスタと、
ソース又はドレインの一方が前記第２のトランジスタのソース又はドレインの一方に接続され、ソース又はドレインの他方が前記定電流源に接続された第９のトランジスタを有することを特徴とする電気回路。
【請求項２５】
請求項５又は請求項６において、
一方の端子が前記第１のトランジスタのソース又はドレインの一方に接続され、他方の端子が前記光電変換素子の一方の電極に接続された第６のスイッチを有することを特徴とする電気回路。
【請求項２６】
請求項５又は請求項６において、
一方の端子が前記第１のトランジスタのソース又はドレインの一方に接続され、他方の端子が前記光電変換素子の一方の電極に接続された第６のスイッチと、
一方の端子が前記第１のトランジスタのソース又はドレインの一方に接続され、他方の端子が電源線に接続された第７のスイッチと、
一方の端子が前記第１のトランジスタのソース又はドレインの一方に接続され、他方の端子が前記定電流源に接続された第８のスイッチと、を有することを特徴とする電気回路。
【請求項２７】
請求項５又は請求項６において、
ソース又はドレインの一方が前記第１のトランジスタのソース又はドレインの一方に接続され、ソース又はドレインの他方が前記光電変換素子の一方の電極に接続された第８のトランジスタを有することを特徴とする電気回路。
【請求項２８】
請求項５又は請求項６において、
ソース又はドレインの一方が前記第１のトランジスタのソース又はドレインの一方に接続され、ソース又はドレインの他方が前記光電変換素子の一方の電極に接続された第８のトランジスタと、
ソース又はドレインの一方が前記第１のトランジスタのソース又はドレインの一方に接続され、ソース又はドレインの他方が電源線に接続された第９のトランジスタと、
ソース又はドレインの一方が前記第１のトランジスタのソース又はドレインの一方に接続され、ソース又はドレインの他方が前記定電流源に接続された第１０のトランジスタと、を有することを特徴とする電気回路。
【請求項２９】
請求項７又は請求項８において、
一方の端子が前記第１のトランジスタのソース又はドレインの一方に接続され、他方の端子が前記定電流源に接続された第９のスイッチと、
一方の端子が前記第２のトランジスタのソース又はドレインの一方に接続され、他方の端子が前記定電流源に接続された第１０のスイッチを有することを特徴とする電気回路。
【請求項３０】
請求項７又は請求項８において、
一方の端子が前記第３のトランジスタのソース又はドレインの一方に接続され、他方の端子が電源線に接続された第９のスイッチと、
一方の端子が前記第３のトランジスタのソース又はドレインの一方に接続され、他方の端子が前記定電流源に接続された第１０のスイッチを有することを特徴とする電気回路。
【請求項３１】
請求項７又は請求項８において、
ソース又はドレインの一方が前記第１のトランジスタのソース又はドレインの一方に接続され、ソース又はドレインの他方が前記定電流源に接続された第１２のトランジスタと、
ソース又はドレインの一方が前記第２のトランジスタのソース又はドレインの一方に接続され、ソース又はドレインの他方が前記定電流源に接続された第１３のトランジスタを有することを特徴とする電気回路。
【請求項３２】
請求項７又は請求項８において、
ソース又はドレインの一方が前記第３のトランジスタのソース又はドレインの一方に接続され、ソース又はドレインの他方が電源線に接続された第１２のトランジスタと、
ソース又はドレインの一方が前記第３のトランジスタのソース又はドレインの一方に接続され、ソース又はドレインの他方が前記定電流源に接続された第１３のトランジスタを有することを特徴とする電気回路。
【請求項３３】
請求項３乃至請求項６、又は請求項１７乃至請求項２８のいずれか一項において、
前記第１のトランジスタと前記第２トランジスタは同じ導電型であることを特徴とする電気回路。
【請求項３４】
請求項７、請求項８、又は請求項２９乃至請求項３２のいずれか一項において、
前記第１のトランジスタ、前記第２トランジスタ及び前記第３のトランジスタは同じ導電型であることを特徴とする電気回路。
【請求項３５】
請求項１乃至請求項３４のいずれか１項において、
前記定電流源は、ｎチャネル型の第４のトランジスタと、
一方の電極が前記第４のトランジスタのゲートに接続され、他方の電極が前記第４のトランジスタのソース又はドレインの一方に接続された第４の容量素子と、
一方の端子が前記第４のトランジスタのゲートに接続された第１１のスイッチと、
一方の端子が前記第１１のスイッチの他方の端子に接続され、他方の端子に第１の電流が供給される第１２のスイッチと、
一方の端子が前記第４のトランジスタのソース又はドレインの他方に接続され、他方の端子から第２の電流を供給する第１３のスイッチと、を有することを特徴とする電気回路。
【請求項３６】
請求項１乃至請求項３４のいずれか１項において、
前記定電流源は、ｎチャネル型の第４のトランジスタと、
一方の電極が前記第４のトランジスタのゲートに接続され、他方の電極が前記第４のトランジスタのソース又はドレインの一方に接続された第４の容量素子と、
一方の端子が前記第４のトランジスタのゲートに接続され、他方の端子に第１の電流が供給される第１１のスイッチと、
一方の端子が前記第４のトランジスタのゲートに接続され、他方の端子が前記第４のトランジスタのソース又はドレインの他方に接続された第１２のスイッチと、
一方の端子が前記第４のトランジスタのソース又はドレインの他方に接続され、他方の端子から第２の電流を供給する第１３のスイッチと、を有することを特徴とする電気回路。
【請求項３７】
請求項１乃至請求項３４のいずれか１項において、
前記定電流源は、ｎチャネル型の第４のトランジスタと、
ソース又はドレインの一方から第１の電流を供給するｎチャネル型の第５のトランジスタと、
一方の電極が前記第４のトランジスタのゲートに接続され、他方の電極が前記第４のトランジスタのソース又はドレインの一方に接続された第４の容量素子と、
一方の端子が前記第４のトランジスタのゲートと前記第５のトランジスタのゲートに接続され、他方の端子が前記第４のトランジスタのソース又はドレインの一方と前記第５のトランジスタのソース又はドレインの他方に接続された第１１スイッチと、
一方の端子が前記第４のトランジスタのソース又はドレインの一方と前記第５のトランジスタのソース又はドレインの他方に接続され、他方の端子に第２の電流が供給される第１２スイッチと、を有することを特徴とする電気回路。
【請求項３８】
請求項１乃至請求項３４のいずれか１項において、
前記定電流源は、ｎチャネル型の第４のトランジスタと、
ソース又はドレインの一方から第１の電流を供給するｎチャネル型の第５のトランジスタと、
一方の電極が前記第５のトランジスタのゲートに接続され、他方の電極が前記第４のトランジスタのソース又はドレインの一方と前記第５のトランジスタのソース又はドレインの他方に接続された第４の容量素子と、
一方の端子が前記第４のトランジスタのゲートと前記第４のトランジスタのソース又はドレインの他方に接続され、他方の端子が前記第５のトランジスタのゲートと前記第４の容量素子の一方の電極に接続された第１１スイッチと、
一方の端子が前記第４のトランジスタのゲートと前記第４のトランジスタのソース又はドレインの他方に接続され、他方の端子に第２の電流が供給される第１２スイッチと、を有することを特徴とする電気回路。
【請求項３９】
請求項１乃至請求項３４のいずれか１項において、
前記定電流源は、ｎチャネル型の第４のトランジスタと、
ソース又はドレインの一方から第１の電流を供給するｎチャネル型の第５のトランジスタと、
一方の電極が前記第４のトランジスタのゲートと前記第５のトランジスタのゲートに接続され、他方の電極が前記第４のトランジスタのソース又はドレインの一方と前記第５のトランジスタのソース又はドレインの一方に接続された第４の容量素子と、
一方の端子が前記第４のトランジスタのゲートと前記第５のトランジスタのゲートと前記容量素子の一方の電極に接続され、他方の端子に第２の電流が供給される第１１スイッチと、
一方の端子が前記第４のトランジスタのソース又はドレインの他方に接続され、他方の端子に第２の電流が供給される第１２スイッチと、を有することを特徴とする電気回路。
【請求項４０】
請求項１乃至請求項３４のいずれか１項において、
前記定電流源は、ｎチャネル型の第４のトランジスタと、
ソース又はドレインの一方から第１の電流を供給するｎチャネル型の第５のトランジスタと、
一方の電極が前記第４のトランジスタのゲートと前記第５のトランジスタのゲートに接続され、他方の電極が前記第４のトランジスタのソース又はドレインの一方と前記第５のトランジスタのソース又はドレインの他方に接続された第４の容量素子と、
一方の端子が前記第４のトランジスタのゲート、前記第５のトランジスタのゲート及び前記第４の容量素子の一方の電極に接続され、他方の端子が前記第４のトランジスタのソース又はドレインの他方に接続された第１１スイッチと、
一方の端子が前記第４のトランジスタのソース又はドレインの一方に接続され、他方の端子に第２の電流が供給される第１２スイッチと、を有することを特徴とする電気回路。
【請求項４１】
請求項１乃至請求項３４のいずれか１項において、
前記定電流源は、ｐチャネル型の第４のトランジスタと、
一方の電極が前記第４のトランジスタのゲートに接続され、他方の電極が前記第４のトランジスタのソース又はドレインの一方に接続された第４の容量素子と、
一方の端子が前記第４のトランジスタのゲートに接続され、他方の端子が前記第４のトランジスタのソース又はドレインの他方に接続された第１１のスイッチと、
一方の端子が前記第４の容量素子の他方の電極と前記第４のトランジスタのソース又はドレインの一方に接続され、他方の端子に第１の電流が供給される第１２スイッチと、
一方の端子が前記第４のトランジスタのソース又はドレインの一方に接続され、他方の端子から第２の電流を供給する第１３のスイッチと、を有することを特徴とする電気回路。
【請求項４２】
請求項１乃至請求項３４のいずれか１項において、
前記定電流源は、ｐチャネル型であり、ゲートとソース又はドレインの一方が接続された第４のトランジスタと、
一方の電極が前記第４のトランジスタのゲートに接続された第４の容量素子と、
一方の端子が前記第４の容量素子の他方の電極に接続され、他方の端子に第１の電流が供給される第１１のスイッチと、
一方の端子が前記第４の容量素子の他方の電極に接続され、他方の端子が前記第４のトランジスタのソース又はドレインの他方に接続された第１２スイッチと、
一方の端子が前記第４のトランジスタのソース又はドレインの他方に接続され、他方の端子から第２の電流を供給する第１３のスイッチと、を有することを特徴とする電気回路。
【請求項４３】
請求項１乃至請求項３４のいずれか１項において、
前記定電流源は、ｐチャネル型の第４のトランジスタと、
ソース又はドレインの一方から第１の電流を供給するｐチャネル型の第５のトランジスタと、
一方の電極が前記第４のトランジスタのゲートと前記第５のトランジスタのゲートに接続され、他方の電極が前記第４のトランジスタのソース又はドレインの一方と前記第５のトランジスタのソース又はドレインの他方に接続された第４の容量素子と、
一方の端子が前記第４のトランジスタのゲート、前記第５のトランジスタのゲート及び前記第４の容量素子の一方の電極に接続され、他方の端子が前記第４のトランジスタのソース又はドレインの他方に接続された第１１のスイッチと、
一方の端子が前記第４のトランジスタのソース又はドレインの他方に接続され、他方の端子に第２の電流が供給される第１２スイッチと、を有することを特徴とする電気回路。
【請求項４４】
請求項１乃至請求項３４のいずれか１項において、
前記定電流源は、ｐチャネル型の第４のトランジスタと、
ソース又はドレインの一方から第１の電流を供給するｐチャネル型の第５のトランジスタと、
一方の電極が前記第５のトランジスタのゲートに接続され、他方の電極が前記第４のトランジスタのソース又はドレインの一方と前記第５のトランジスタのソース又はドレインの他方に接続された第４の容量素子と、
一方の端子が前記第４のトランジスタのゲートと前記第４のトランジスタのソース又はドレインの他方に接続され、他方の端子が前記第５のトランジスタのゲートと前記第４の容量素子の一方の電極に接続された第１１のスイッチと、
一方の端子が前記第４のトランジスタのソース又はドレインの他方に接続され、他方の端子に第２の電流が供給される第１２スイッチと、を有することを特徴とする電気回路。
【請求項４５】
請求項１乃至請求項３４のいずれか１項において、
前記定電流源は、ｐチャネル型の第４のトランジスタと、
ソース又はドレインの一方から第１の電流を供給するｐチャネル型の第５のトランジスタと、
一方の電極が前記第４のトランジスタのゲートと前記第５のトランジスタのゲートに接続され、他方の電極が前記第４のトランジスタのソース又はドレインの一方と前記第５のトランジスタのソース又はドレインの他方に接続された第４の容量素子と、
一方の端子が前記第４のトランジスタのゲート、前記第５のトランジスタのゲート及び前記第４の容量素子の一方の電極に接続され、他方の端子に第２の電流が供給される第１１のスイッチと、
一方の端子が前記第４のトランジスタのソース又はドレインの他方に接続され、他方の端子に前記第２の電流が供給される第１２スイッチと、を有することを特徴とする電気回路。
【請求項４６】
請求項１乃至請求項３４のいずれか１項において、
前記定電流源は、ｎチャネル型の第４のトランジスタと、
一方の電極が前記第４のトランジスタのゲートに接続され、他方の電極が前記第４のトランジスタのソース又はドレインの一方に接続された第４の容量素子と、
一方の端子が前記第４のトランジスタのゲートに接続された第１１のスイッチと、
一方の端子が前記第１１スイッチの他方の端子に接続され、他方の端子が前記第４のトランジスタのソース又はドレインの他方に接続された第１２スイッチと、
一方の端子が前記第４のトランジスタのソース又はドレインの他方に接続された第１３スイッチと、
一方の端子が前記第１３スイッチの他方の端子に接続され、他方の端子に第１の電流が供給される第１４スイッチと、
一方の端子が前記第４のトランジスタのソース又はドレインの他方に接続された第１５スイッチと、
一方の端子が前記第１５スイッチの他方の端子に接続され、他方の端子から第２の電流を供給する第１６スイッチと、を有することを特徴とする電気回路。
【請求項４７】
請求項１乃至請求項３４のいずれか１項において、
前記定電流源は、ｎチャネル型の第４のトランジスタと、
ソース又はドレインの一方から第１の電流を供給するｎチャネル型の第５のトランジスタと、
一方の電極が前記第４のトランジスタのゲートと前記第５のトランジスタのゲートに接続され、他方の電極が前記第４のトランジスタのソース又はドレインの一方に接続された第４の容量素子と、
一方の端子が前記第４のトランジスタのゲートと前記第５のトランジスタのゲートに接続された第１１のスイッチと、
一方の端子が前記第１１スイッチの他方の端子に接続され、他方の端子が前記第４のトランジスタのソース又はドレインの他方と前記第５のトランジスタのソース又はドレインの他方に接続された第１２スイッチと、
一方の端子が前記第４のトランジスタのソース又はドレインの他方と前記第５のトランジスタのソース又はドレインの他方に接続された第１３スイッチと、
一方の端子が前記第１３スイッチの他方の端子に接続され、他方の端子に第２の電流が供給される第１４スイッチと、を有することを特徴とする電気回路。
【請求項４８】
請求項１乃至請求項４７のいずれか一項に記載の前記電気回路を用いた電子機器。
【手続補正３】
【補正対象書類名】明細書
【補正対象項目名】００１４
【補正方法】変更
【補正の内容】
【００１４】
次いで、増幅用トランジスタ１１及びバイアス用トランジスタ１２の電圧と電流の関係を示した図５（Ｂ）（Ｃ）を用いて、ソースフォロワ回路の動作点について説明する。さらに詳しくは、増幅用トランジスタ１１のゲート・ソース間電圧Vgs1と、バイアス用トランジスタ１２のゲート・ソース間電圧Vgs2が同じ値の場合について、図５（Ｂ）を用いて説明する。次いで、増幅用トランジスタ１１のゲート・ソース間電圧Vgs1と、バイアス用トランジスタ１２のゲート・ソース間電圧Vgs2とが異なる値の場合であって、例えばバイアス用トランジスタ１２が線形領域で動作している場合について、図５（Ｃ）を用いて説明する。
【手続補正４】
【補正対象書類名】明細書
【補正対象項目名】００１６
【補正方法】変更
【補正の内容】
【００１６】
図５（Ｂ）において、増幅用トランジスタ１１のゲート・ソース間電圧Vgs1と、バイアス用トランジスタ１２のゲート・ソース間電圧Vgs2が同じ値であり、さらにバイアス電位Vbと、バイアス用トランジスタ１２のゲート・ソース間電圧Vgs2は同じ値であるため、増幅用トランジスタ１１のゲート・ソース間電圧Vgs1は、バイアス電位Vbと同じ値である。つまり、Vgs1＝Vgs2＝Vbとなり、図５（Ｂ）に示すように、増幅用トランジスタ１１及びバイアス用トランジスタ１２は飽和領域で動作している。このとき、入力電位Vinと出力電位Voutの関係は線形となる。
【手続補正５】
【補正対象書類名】明細書
【補正対象項目名】００１７
【補正方法】変更
【補正の内容】
【００１７】
一方、図５（Ｃ）において、増幅用トランジスタ１１のゲート・ソース間電圧Vgs1は、バイアス用トランジスタ１２のゲート・ソース間電圧Vgs2とは異なる値である。そして、バイアス用トランジスタ１２のゲート・ソース間電圧Vgs2はバイアス電位Vbと同じ値である。また、増幅用トランジスタ１１のゲート・ソース間電圧Vgs1は、バイアス電位Vb'であるとする。つまり、Vgs2＝Vb、Vgs1＝Vb`となり、図５（Ｃ）で示すように、増幅用トランジスタ１１は飽和領域で動作しており、バイアス用トランジスタ１２が線形領域で動作している。このとき、入力電位Vin、出力電位Vout及びバイアス電位Vb'の関係は以下の式（３）を満たす。
【手続補正６】
【補正対象書類名】明細書
【補正対象項目名】００４６
【補正方法】変更
【補正の内容】
【００４６】
容量素子２４の両電極間の電位差は、トランジスタ２３のゲート・ソース間電圧となる。そのため、トランジスタ２３が所望の電流である信号電流を流すことが出来るだけの電圧（ＶＧＳ）になるまで、容量素子２４における電荷の蓄積が続けられる。そして、電荷の蓄積が終了すると（図３（Ｃ）（Ｄ）、Ｂ点）、電流I1は流れなくなり、さらにトランジスタ２３はオンであるので、Idata=Ｉ2となる。
【手続補正７】
【補正対象書類名】明細書
【補正対象項目名】０１３９
【補正方法】変更
【補正の内容】
【０１３９】
なお図１１に示す差動増幅回路においては、電源線２９１に電源電位Vdd1が印加され、電源線２６７に電源電位Vdd2が印加され、電源線２７１に接地電位Vssが印加されている点以外は、図１０に示す差動増幅回路の構成、及びその動作と同じであるので、ここでは説明を省略する。
【手続補正８】
【補正対象書類名】明細書
【補正対象項目名】０２０７
【補正方法】変更
【補正の内容】
【０２０７】
また図１８に示す信号増幅回路３２５において、設定用信号線３２６及びしきい値用信号線３２７の２本の信号線と、ソースフォロワ回路３１５、３１６との間には、論理演算子が配置されている。３２９はインバータ、３３０はAND、３３１及び３３２はインバータ、３３３はANDである。そして、端子ｃ〜端子ｅには、しきい値用信号線３２７から出力される信号、又は上記の論理演算子の出力端子から出力される信号のどちらかが入力される。
【手続補正９】
【補正対象書類名】明細書
【補正対象項目名】０２１０
【補正方法】変更
【補正の内容】
【０２１０】
そして、設定用信号線３２６、しきい値用信号線３２７の２本の信号線からは、図１９に示すような信号が入力される。さらに、ソースフォロワ回路３１５における端子ｃには、設定用信号線３２６から出力される信号がそのまま入力される。端子ｄにはAND３３０の出力端子から出力される信号が入力され、端子ｅにはインバータ３３１の出力端子から出力される信号が入力される。そうすると、ソースフォロワ回路３１５では、設定動作と出力動作のどちらか一方の動作を行うように制御することが出来る。